(57)【要約】【課題】本発明はインシュレーションボードや発泡樹脂を主材とする建材畳床に、脱臭機能や調湿機能を有するゼオライトを保持せしめる事により調湿効果を高め、抗菌効果や防臭効果を発揮する畳床を提供する。【解決手段】インシュレーションボードの上面に不織布若しくは和紙等で構成された保護部材を被覆した建材畳床において、該保護部材にゼオライトを含浸付着させて保持する構成にして、脱臭機能や調湿機能を持たせた畳床を製床ライン機械で効率的に製造するようにしたもの。【選択図】図１
2004100263.tif 000002
【特許請求の範囲】
【請求項１】
インシュレーションボードの上面に不織布若しくは保護紙等で構成された保護部材を被覆した建材畳床において、該保護部材にゼオライトを含浸付着させて保持する構成にした事を特徴とする畳床。
【請求項２】
建材畳床のインシュレーションボードそのものに、ゼオライトを含浸付着させて保持せしめた事を特徴とする請求項１記載の畳床。
【請求項３】
ロールシート状の裏打部材の上方にインシュレーションボードを配設し、該インシュレーションボードの上面にロールシート状の保護部材を繰り出してなる建材畳床の製床ライン機械において、該ロールシート状の保護部材を、その表面に予めゼオライトを含浸付着させて保持したものを使用して製床せしめる事を特徴とする請求項１記載の畳床。
【請求項４】
ロールシート状の裏打部材の上方にインシュレーションボードを配設し、該インシュレーションボードの上面にロールシート状の保護部材を繰り出してなる建材畳床の製床ライン機械において、該ロールシート状の保護部材を繰り出し供給する時にゼオライトを含浸付着させて保持する工程にした事を特徴とする請求項１記載の畳床。
【請求項５】
ロールシート状の裏打部材の上方にインシュレーションボードを配設し、該インシュレーションボードの上面にロールシート状の保護部材を繰り出して後、これらの部材をミシンで圧着縫製してなる畳床の製床ライン機械において、畳床の圧着縫製後に、前記保護部材にゼオライト溶液を湿潤させる工程と、乾燥させる工程とを連設したことを特徴とする請求項１記載の畳床。
【発明の詳細な説明】
【０００１】
【発明の属する技術分野】
本発明はインシュレーションボードや発泡樹脂を主材とする建材畳床に、　　脱臭機能や調湿機能を有するゼオライトを保持せしめる事により調湿効果を高め、抗菌効果や防臭効果を発揮する畳床を効率的に製造するものに関する。
【０００２】
【従来の技術】
近年の住宅構造は、冷暖房などの事情により密閉されて風通しが悪くその為畳などは湿度が高くてほこりが多い不潔な環境に置かれ易い。また、畳床は従来、主材として稲わらを使用して作成することが一般に行われていたが、近年それに代わり、吸湿性の乏しいインシュレーションボードや発泡樹脂などを使用した畳床が多く作られるようになって来た。その結果、カビ・ダニ等の有害物が発生し易いだけでなく繁殖し易く、また、これらに起因して悪臭を発生し易い環境にある。そのために、例えば特開２００１−１７９７１７公報や特開２００２−２１２９００公報に示されるゼオライトを塗布した機能性繊維板を芯材として使用した畳床が提案されている。
【０００３】
【発明が解決しようとする課題】
本発明は、上記事情によりなされたもので、その目的とするところは、畳の調湿効果を高めることにより、カビ・ダニ等の発生や繁殖を効果的に抑制し快適な住環境を整えることのできる畳床を効率的に安価に提供することにある。そして、上記の特開２００１−１７９７１７公報や特開２００２−２１２９００公報に示される機能性繊維板はゼオライトを塗布する工程が複雑でコスト高くなる恐れがあり、これらに解決課題がある。
【０００４】
【課題を解決するための手段】
本発明は、インシュレーションボードや発泡樹脂を主材とする建材畳床におい　て使用されている保護部材またはインシュレーションボードに、ゼオライトの粒を効率的に保持せしめる事により調湿効果を高めた畳床を提供することにより上記課題を解決したものである。
【０００５】
【実施例】
建材畳床Ｔの構造は、図１に示されるような▲１▼形、図２に示される▲２▼形、図３に示される▲３▼形が一般的である。
これら図１〜図３に示されるように、建材畳床Ｔの一番下の裏面はクラフト紙にポリスチレンクロスまたはポリプロピレンクロスなどを圧着した裏打部材１が配設された共通構造になる。そして、該裏打部材１の上層に畳床の所望厚みに応じてインシュレーションボード２、３、４やポリスチレンフォームからなる発泡樹脂製板部材５の複数枚が任意に組み合わせられて積層されることにより建材畳床Ｔの主要部が構成されている。
そして、　これら建材畳床Ｔの主要部の一番上はインシュレーションボード４が配置される構成とし、該インシュレーションボード４の上面を保護部材６で被覆する共通構造にされている。
【０００６】
前記保護部材６は、建材畳床Ｔの上面に添設される製畳後の畳表（図示省略）の裏面に、インシュレーションボード４から生じる微細繊維が付着することを防止するために設けられているもので、該保護部材６自体に特に高い強度及びクッション性を求める必要はないが、通気性と保護機能を持たせることが大切であり、一般的に不織布や保護紙などが使用されている例が多い。
【０００７】
そして、本発明では上記保護部材６に、例えば、建材畳床Ｔの１畳あたりに約１ｋｇのゼオライト７の粒を水に糊料を加えて溶いた液体を塗布若しくは噴霧等の湿潤手段により染み込ませて、しかる後充分に乾燥させてゼオライト７を含浸させる。ゼオライト７の粒径は１ｍｍ以下が好ましいと思われるが、湿潤手段により染み込ませることが可能であれば良くこれに拘束されないことは勿論である。
【０００８】
前記インシュレーションボード２、３、４は、木材チップをパルプ状にときほぐして解繊したものを、腐れ、虫、カビ等に対する耐久処理を行った後、板状に炊き上げ高温で乾燥熱処理して作られる植物繊維を主体とした工業製品である。
【０００９】
上記インシュレーションボード２、３、４を製造する時の工程中に、ゼオライト７の粒をまぜ入れて含浸させても良いし、出来上がったインシュレーションボード２、３、４の製品に前述保護部材６と同様の湿潤方法で染み込ませても良い。この場合のゼオライト７の粒は、１畳あたり１ｋｇで粒径１ｍｍ以下が好ましいが、前述保護部材６と同様にこれに拘束されないことは勿論である。
【００１０】
畳床の製床作業の前に、予め、ゼオライト７を含浸させた保護部材６またはインシュレーションボード２、３、４を事前準備して、これらのゼオライト入り部材を使用することにより畳床Ｔを製造しても良いし、従来の建材畳床の製床作業中にゼオライト７の粒を水に糊料を加えて溶いた液体をスプレーして含浸させても良い。
また、上記保護部材６は１００〜２００メートル長さにも及ぶロールシート状に構成されるが、この保護部材６の表面に予めゼオライトを含浸付着させて保持したものをロール状に巻き保管して後、製床ライン機械で使用するようにして畳床Ｔを製造しても良い。
【００１１】
これらの一例を図４〜５に示す。図４は一般的な畳床の製床ライン機械Ｌを示しており、建材畳床Ｔの一番下（裏面）にクラフト紙にポリスチレンクロスまたはポリプロピレンクロスなどを圧着したロールシート状の裏打部材１が敷設された構造になり、該裏打部材１の上層にインシュレーションボード２、３、４やポリスチレンフォームからなる発泡樹脂製板部材５の複数枚が任意に組み合わせられて構成された平面視矩形状の建材畳床Ｔの主要部が積層されている。
そして、　これら建材畳床Ｔ最上層のインシュレーションボード４の上面に、前述湿潤手段、乾燥工程等を経て製造されたゼオライト７を含浸させた和紙等の保護紙、不織布などからなるロールシート状の保護部材６を繰り出して被覆する構造とされ、ミシン部で圧着縫製した後に平面視矩形状の建材畳床Ｔの形状に合わせて適宜に切断仕上げされ、効率的に生産される。
【００１２】
図５は畳床の製床ライン機械Ｌに於いて、ミシン部Ｍで圧着縫製されて平面視矩形状の建材畳床Ｔの形状に合わせて適宜に切断仕上げされた後で、噴霧器Ｆでゼオライト７入りの液体を噴霧して保護部材６を湿潤させることにより染み込ませて、しかる後乾燥機Ｋで充分に乾燥させて含浸させ、効率的に生産される。これらいずれの方法においても、在来の畳床製床ライン機械を巧みに活用することによりゼオライトを含浸させた畳床を効率的に生産することができる。
【００１３】
かくして得られた畳床は、ゼオライトの調湿性を利用したものであり、従来の建材畳床より調湿効果が高く、部屋の温度変化を緩やかにすることが出来る。　　例えば、図６に示す如く、空気中の調湿効果を比較するために、テスト箱の中を、畳なしの状態Ａと、ゼオライトなしの畳を入れた状態Ｂと、ゼオライト入りの畳を入れた状態Ｃとを測定したものである。それぞれＡ、Ｂ、Ｃの条件下で、２５℃において箱の外側の湿度を変化させ、湿度４０％で４８０分（８時間）保持し、その後、４８０分（８時間）かけて湿度を８０％に上げる。そして、湿度８０％を４８０分（８時間）保持し、しかる後４８０分（８時間）かけて湿度を４０％に下げる。この結果ゼオライト入りの状態Ｃが湿度８０％の高湿度に有利となっている結果が得られた。（島根県産業技術センターにおいての試験結果。）
この結果、カビ・ダニ等の有害物の発生を効果的に抑制し、それを原因とする　悪臭の発生を阻止することが出来る。よって、じめじめ感触のない快適な住環境を整えるものである。
【００１４】
【発明の効果】
本発明はインシュレーションボードの上面に不織布若しくは和紙等で構成された保護部材を被覆した建材畳床において、該保護部材にゼオライトを含浸付着させて使用した構成にした事により、脱臭機能や調湿機能を有する畳床にできてカビ・ダニ等の有害物の発生を効果的に抑制し、それを原因とする悪臭の発生を阻止することが出来る。よって、快適な住環境を整えるものであり、これらの畳床を製造するにあたり畳床製造ライン機械等を用いることにより効率的に製造できる効果を奏する。
【図面の簡単な説明】
【図１】一般的な建材畳床の構造▲１▼形を示した要部断面図である。
【図２】一般的な建材畳床の構造▲２▼形を示した要部断面図である。
【図３】一般的な建材畳床の構造▲３▼形を示した要部断面図である。
【図４】畳床の製床ライン機械を活用した畳床製造概略図である。
【図５】畳床の製床ライン機械を活用した他例の畳床製造概略図である。
【図６】畳床の調湿効果を示す説明図である。
【符号の説明】
１　裏打部材
２、３，４　インシュレーションボード
５　ポリスチレンフォーム
６　保護材
７　ゼオライト
【図１】
2004100263.tif 000003
【図２】
2004100263.tif 000004
【図３】
2004100263.tif 000005
【図４】
2004100263.tif 000006
【図５】
2004100263.tif 000007
【図６】
2004100263.tif 000008